(57)【要約】      （修正有）【課題】背広やユニフォーム、作業着などのポケットの開口部や物品箱の縁等に差し込んで装着することが容易であるとともに、裏面に安全ピンやバインダークリップ等の装着具を別途設けなくても装着固定することができ、装着後も容易に脱落しにくい名札を提供する。【解決手段】名前又は物品名を記載する表示面を有する表面５と、表面の上端部が曲げられた屈曲部６と、屈曲部とつながり下方に延びる裏面７とからなる名札本体４は弾性部材から構成され、裏面の略中間位置の一部が表面と接触又は接近した凸部を有する挟持部８と、表面の下端と裏面との間に開口部９を有し、名札３の裏面を容易にポケット２に挿入して装着固定できる。【選択図】図３
0003201590.tif 000002
【実用新案登録請求の範囲】
【請求項１】
少なくとも名前又は物品名を記載する表示面を有する表面と、該表面の上端部が曲げられた屈曲部と、該屈曲部とつながり下方に延びる裏面とからなる名札本体において、
該名札本体は弾性部材から構成され、
前記裏面の一部が前記表面と接触又は接近する凸部を有する挟持部と、
前記表面の下端と裏面との間に開口部を有することを特徴とする名札。
【請求項２】
前記名札本体は、弾性のある金属又は合成樹脂からなることを特徴とする請求項１に記載の名札。
【請求項３】
前記名札本体の表面は、模様、色彩、形状又はこれらの結合からなる装飾を設けたことを特徴とする請求項２に記載の名札。
【請求項４】
前記名札本体の裏面は、裏面の下端から前記屈曲部の近傍まで達する縦溝を二本有することを特徴とする請求項１乃至３のいずれか１項に記載の名札。
【請求項５】
前記名札本体の裏面の下方には、前記表面の下端より１０ｍｍ以上長く下方に突出している垂直延長部が設けられたことを特徴とする請求項１乃至３のいずれか１項に記載の名札。
【請求項６】
請求項４の前記縦溝二本で分割された左右の裏面両端部又は裏面内部の縦長さは、前記表面の下端より１０ｍｍ以上長く下方に突出していることを特徴とする請求項４に記載の名札。
【考案の詳細な説明】
【技術分野】
【０００１】
本考案は、背広やユニフォームなどの上着のポケットや物品を収納する箱などの縁などに挟み込んで容易に装着固定できる名札に関するものである。
【背景技術】
【０００２】
従来、背広やユニフォーム、作業着などの上着に名札を取付ける場合は、人の目に触れやすい胸付近に取付けている。そして名札を服に装着固定する場合は、名前などを記載した表面に対して、名札の裏面には安全ピンやクリップなどの装着具を用いて取付ける形式のものがあった。（特許文献１、特許文献２、参照）
【０００３】
さらに、図７に示すように、背広や作業着の胸の上方個所などに透明な軟質合成樹脂部材２０を、挿通口２１を残してその周回部を縫合した縫合線２２で取付けて縫合領域２４を形成し、この縫合領域２４に前記挿通口２１より幅が大きく且つ表面に名前などを印刷し、その上面に透明フイルム２５を接着して設けた軟質な合成樹脂製の名札片２６を挿入した名札に関するものがある。（特許文献３、参照）
【先行技術文献】
【特許文献】
【０００４】
【特許文献１】登録実用新案第３１０６２５９号公報
【特許文献２】実公平２−６４５９号公報
【特許文献３】特開平５−２３６７号公報
【考案の概要】
【考案が解決しようとする課題】
【０００５】
従来の安全ピンやバインダークリップ等を用いて上着のポケットなどに名札を取付ける形式の場合は、名札の大きさ（前後の厚さ）が大きくなる。名札を装着した場合には、上着の胸部分から名札が前方に突出するため、外部の物等に引っかかり、名札が落下しやすい。また安全ピンが裏面等に設けられた形式の場合は、取り付ける服地に安全ピンで穴があき、時にはピン先で指を刺して怪我をする事もあった。また名札自体の大きさ（厚さ）が安全ピンで大きくなり、服に名札を取り付けた場合は、名札の上の部分が前方に突出して前倒れ状態になり、名前が見え難い欠点があった。さらに作業服を着用して様々な作業を行うために服が汚れるので、定期的に洗濯する必要がある。この洗濯を行うたびに、安全ピンを操作して名札を取り外したり付け直したりするため、安全ピンが経時的に劣化して破損したり弛んだりして、時には作業着から名札が外れて落下する可能性があった。
【０００６】
また裏面にクリップを取り付けた名札の場合は、クリップの先端で物を挟む狭持部が、名札の下方と挟持部の先端部とで布地を挟んで一体になる。この形式のクリップで名札をポケットに装着する場合には、ポケット開口部の縁部は一般的に服の布地よりも厚みがあり、かつ縁部自体も布製で柔軟であるために、縁部をクリップ先端の狭持部で掴む作業に手間を要した。またクリップが名札の裏面に設けられているために安全ピンと同じく名札の厚みが大きくなり、かつ布との挟持部分は名札の下方であることにより、名札の表示部が前倒れ又は上向きの状態になって名前が見え難い欠点があった。
【０００７】
さらに、図７で示すように作業着の胸の位置に取付けた透明な軟質合成樹脂部材２０の周囲部分を、挿通口２１を除いて、その周回部分を縫合する縫合線２２で形成した縫合領域２４の内部に名札片２６を収容し、この挿通口２１から名札片２６の出し入れを行っている名札がある。即ち、名札片２６を縫合領域２４の内部に挿通口２１から出し入れするため、この名札片２６の上下巾よりやや短く形成した挿通口２１の下側に位置する縫合線２２の部分に、外部への脱出を防止する落下規制の働きをさせるので、縫合領域２４内の名札片２６は挿通口２１から外部に脱出することはない。
【０００８】
しかし、矩形をした透明な軟質合成樹脂材２０の内部に設けた縫合領域２４に収容する名札片２６を出し入れするために、該縫合領域２４に残存して形成する固定部の途中に、挿通口２１を設ける為の縫合しない残存部を設ける必要があり、この残存部は、挿通口２１の上下巾が名札片２６の上下巾よりやや短く形成して簡単に脱出できないようにしてある。そのため、前記透明樹脂部材２０の周縁部分を縫合する場合、途中で停止して挿通口２１となる残存部を設けてから、再び縫合作業を行わなければならない為、縫合作業に手数がかかると共に残存部の長さを調節するのに手間がかかるという欠点を有していた。
【０００９】
本考案は、上記のような欠点を除去する為、背広やユニフォーム、作業着などのポケットの開口部や物品箱の縁等に名札を差し込んで装着することが容易であるとともに、名札の裏面に安全ピンやバインダークリップ等の装着具を別途設けなくても名札を装着固定することができ、名札装着後も容易に脱落しにくい名札を提供することを目的とするものである。
【課題を解決するための手段】
【００１０】
上記目的を達成するために、本考案の名札は、少なくとも名前又は物品名を記載する表示面を有する表面と、該表面の上端部が曲げられた屈曲部と、該屈曲部とつながり下方に延びる裏面とからなる名札本体において、該名札本体は弾性部材から構成され、前記裏面の一部が前記表面と接触又は接近した凸部を有する挟持部と、前記表面の下端と裏面との間に開口部を有することを特徴としている。
【００１１】
また、前記名札本体は、弾性のある金属又は合成樹脂からなることを特徴としている。
【００１２】
また、前記表面は、模様、色彩、形状又はこれらの結合からなる装飾を設けたことを特徴としている。
【００１３】
また、前記裏面は、裏面の下端から前記屈曲部の近傍まで達する縦溝を二本有することを特徴としている。
【００１４】
また、前記裏面の下方に設けられた垂直延長部は、前記表面の下端より１０ｍｍ以上長く下方に突出していることを特徴としている。
【００１５】
そして、前記縦溝で分割された左右の裏面両端部又は裏面内部のいずれかの縦長さは、前記表面の下端より１０ｍｍ以上長く下方に突出していることを特徴としている。
【考案の効果】
【００１６】
本考案にあっては、以下に列挙する効果が得られる。
（１）名前や物品名を表示する表面と、ポケットの布を表面方向に押し付けて挟持する挟持部を有する裏面からなる名札本体は、金属又は合成樹脂の弾性部材からなり、名札を取り付ける場合は、ポケットの縁部を表面と裏面の開口部から挿入して挟持部を押し広げて上方の屈曲部まで縁部を押し込む。すなわち安全ピンやクリップ等の装着具を別途用いることなく名札をポケット等に固定できる。また取り外す場合は、名札をポケットの上方へ引き抜くことで容易に外すことができる。
【００１７】
（２）また名前が記載されている名札表面を、会社のロゴマークや絵柄などの模様装飾やコーポレットカラー等の色彩装飾、名札表面の外形を矩形では無く動物や乗り物などを象った形状装飾とすることで、名札に特徴と使用の一体感を与え、表面の絵柄や模様装飾又は形状装飾の効果により、組織や活動を明確に識別できる良い効果とイメージを名札に与えることができる。
【００１８】
（３）また名札の裏面を、裏面下端から屈曲部の近傍まで達する縦溝を二本設け、裏面を左右の裏面両端部と裏面内部に三分割し、ポケット等の縁部を前記縦溝に交互（千鳥状）に通すことで、三分割された裏面同士が元の位置に戻る弾性復元力でポケットの布を挟む保持力が得られ、名札を一層強くポケットに固定保持することができる。
【００１９】
（４）また裏面に表面の下端より１０ｍｍ以上延びた垂直延長部を設けることで、名札裏面側に名札の重心を寄せるとともに、裏面の垂直延長部がポケットの中に深く挿入することで名札表面の前倒れや上向きを防止できる。
【図面の簡単な説明】
【００２０】
【図１】本考案に係る名札をポケットに装着固定した背広の正面図である。
【図２】本考案の名札の実施例１を示す図であり、（ａ）は名前を記載した名札表面の正面図、（ｂ）は右側面図である。
【図３】（ａ）は図２（ａ）で示す名札の背面図であり、（ｂ）は名札をポケットに取り付けた状態を示すＡ−Ａ線矢視断面図である。
【図４】本考案の名札の実施例２を示し、（ａ）は名札を裏面側から見た背面図、（ｂ）はＢ―Ｂ線矢視の部分拡大断面図である。
【図５】本考案の名札の実施例３を示し、（ａ）は名札の背面図、（ｂ）は右側面図である。
【図６】本考案の名札の実施例４を示し、（ａ）は左右の裏面両端部の垂直延長部を表面の下端より長くした背面図、（ｂ）は名札の右側面図、（ｃ）は裏面内部の垂直延長部を表面の下端より長くした他の例を示す背面図である。
【図７】従来の名札の例を示す図である。
【考案を実施するための形態】
【００２１】
以下、本考案の実施の形態を図面に基づいて説明する。
【実施例１】
【００２２】
図１は、本考案に係る名札３を背広１の上着のポケット２の上方開口部に装着固定した状態を示す図である。図２〜図３は、本考案の実施例１を示している。図２（ａ）は、名札３の正面図、図２（ｂ）は、名札３の右側面図である。図３（ａ）は、名札３の裏面７側から見た背面図、図３（ｂ）は、図３（ａ）のＡ―Ａ線矢視断面図であり、名札３の裏面７をポケット２の開口部内に挿入して装着した状態を示す。名札３の名札本体４は、金属例えばステンレスの板材を必要な長さに切断し折り曲げて成形する。名札３をポケット２の上方開口部に装着し固定した場合は、名前Ｎを記載した表面５は直立状態になる。
【００２３】
名札３の表面５に表示する名前Ｎは、レーザマーカで刻印又はインク等で表面５に直接印刷することにより表面５に記載する。この表面５の上端部は、表面５を１８０°折り曲げ形成した屈曲部６が連続している。この屈曲部６と裏側でつながる裏面７は、下方に延びている。名札本体４は、表面５、屈曲部６および裏面７で主に構成されている。裏面７の縦方向の略中間位置には、表面５の裏面と接触又は近接する位置まで突出した凸部を有する狭持部８が形成されている。
【００２４】
裏面７の挟持部８より下方は、表面５に対して離れる方向に徐々に傾斜拡開し、その端部位置には開口部９が形成されている。図２（ｂ）に示す開口部９の開口寸法Ｓは、ポケット２の縁部２ａを挿入できる幅の間隙が形成されている。以上の構成から、名札３を右側部側から見た形状はＲの形をしている。
【００２５】
名札本体４は、金属などの弾性部材から構成されていることにより、裏面７の開口端部９ａを表面５から離す外方向に拡げることで、屈曲部６の弾力に抗して開口部９をさらに拡開し、同時に挟持部８も表面５から外方向に離れ、ポケット２の縁部２ａを表面５と挟持部８との間を通すことができる隙間が形成される。その後、裏面７の開口端部９ａを開放することで、挟持部８は弾性復元力で元の位置に戻り、ポケット２を構成する布は表面５と挟持部８の凸部とで挟まれ圧着される。
【００２６】
実施例１の上記名札３をポケット２に装着する動作は、次のように行う。まず名札３の裏面７の開口端部９ａをポケット２の内側に挿入して、名札本体４をポケット２の内側に押し込む。ポケット２の縁部２ａの先端が挟持部８の凸部まで到達し、さらに縁部２ａが名札本体４の上方の屈曲部６に達するまで名札本体４を押し込むことで、挟持部８は名札本体４の弾力に抗して外方向に開き、縁部２ａの先端が上方の屈曲部６まで押し込むことができる。この押し込み動作に従って、挟持部８は弾性復元力で元の位置に戻り、ポケット２の布は、表面５と挟持部８とで圧着され、名札３はポケット２に固定される。一旦縁部２ａが名札本体４の屈曲部６まで達すると、ポケット２の縁部２ａは、下方の布地より厚みがあるので、挟持部８の凸部から縁部２ａが抜けて名札３がポケット２から脱落するのを防止する。
【実施例２】
【００２７】
本考案の第２の実施例について図４に基づいて説明する。実施例１と同じ機能を有する部材は、同じ番号を付す。実施例２の名札本体４は、実施例１と同様に金属例えばステンレスの板材を必要な長さに切断し折り曲げて成形する。名前Ｎが記載された表面５は、名札３をポケット２に装着した場合は、その表示面である表面５は直立状態になる。
【００２８】
名札３の表面５に記載される名前Ｎは、レーザマーカの刻印又はインク等で直接印刷することにより表面５に記載する。この表面５の上端部には、屈曲部６が表面を１８０°折り曲げられてつながる。屈曲部６と連続する裏面７は、下方に延びている。名札本体４は、表面５、屈曲部６および裏面７から主に構成されている。裏面７の縦方向の略中間位置には、表面５の裏面と接触又は近接する位置まで突出した凸部を有する挟持部８が形成されている。
【００２９】
実施例２の裏面７は、その下端から屈曲部６近くまで切り込まれた二本の縦溝１０、１０が平行に設けられ、この縦溝１０、１０によって左右の裏面両端部７ａ、７ａと裏面内部７ｂとに三分割されている。この縦溝１０の幅は、数ミリ程度の大きさを有し、ポケット２の縁部２ａを通すことができる寸法となっている。裏面７の挟持部８より下方は、表面５に対して離れる外方向に徐々に傾斜拡開して下方に延び、その端部には開口部９が形成されている。開口部９の間隙の大きさは、ポケット２の縁部２ａを挿入できる幅の空間が形成されている。
【００３０】
また名札本体４は弾性部材で構成されていることにより、ポケット２の内側に挿入した裏面７の裏面両端部７ａ、７ａ又は裏面内部７ｂを表面５から離す外方向に拡開することで、屈曲部６の弾力に抗して開口部９を外方向にさらに拡げることができる。また裏面両端部７ａと裏面内部７ｂ間に設けられた縦溝１０の隙間も拡大される。この状態で、ポケット２の縁部２ａを開口部９及び縦溝１０の間を介して表面５と挟持部８の凸部の間に押し込むことで、挟持部８が縁部２ａに押されて表面５から離され、縁部２ａを屈曲部６まで強制的に押し込むことができる。その後、裏面７の開口端部９ａを開放することで、挟持部８は弾性復元力で元の表面５の位置に戻り、ポケット２の布は表面５と挟持部８とで圧着固定される。
【００３１】
実施例２の上記名札３をポケット２に装着する動作は、次のように行う。まず名札３の裏面両端部７ａ、７ａをポケット２の上方開口部の内側に挿入し、裏面内部７ｂはポケット２の表面側に出す。裏面両端部７ａ、７ａはポケット２の内側に、裏面内部７ｂはポケット２の外側に位置した状態で、名札本体４をポケット２の内側にさらに押し込む。ポケット縁部２ａの先端が挟持部８の凸部まで到達し、さらに縁部２ａを名札本体４の屈曲部６の位置に達するまで名札本体４を押し込むことで、挟持部８は名札本体４の弾力に抗して外方向に開き、縁部２ａの先端が屈曲部６まで押し込まれる。あるいは裏面内部７ｂをポケット２の上方開口部の内側に挿入し、裏面両端部７ａ、７ａをポケット２の表面側に出しても良い。その後の押し込みの動作は上記と同様である。この押し込み動作に従って、ポケット２の布は表面５と裏面両端部７ａ又は表面５と裏面内部７ｂの挟持部８の凸部とで挟まれて圧着され、名札３はポケット２に固定保持される。一旦縁部２ａが名札本体４の屈曲部６まで達すると、ポケット縁部２ａは下方の布より厚みがあるので、縁部２ａが挟持部８から抜け名札３がポケット２から脱落するのを防止できる。本実施例２では、ポケット２の縁部２ａを上記２本の縦溝１０、１０に交互に通すことで、裏面両端部７ａ、７ａと裏面内部７ｂは互いに元の位置に戻ろうとする弾性復元力で縁部２ａおよびポケット２の布を挟持し、名札３はさらに固定される。
【実施例３】
【００３２】
本考案の第３の実施例について図５に基づいて説明する。実施例１又は実施例２と同じ機能を有する部材は、同じ番号を付す。実施例３の名札本体４は、実施例１と同様に金属から成る板材を必要な長さに切断し折り曲げて形成する。名札３の表面５に記載される名前Ｎは、上記例と同様にレーザマーカで刻印又はインク等で印刷することにより表面５に記載する。この表面５の上端部には、表面５を１８０°折り曲げた屈曲部６がつながり、また屈曲部６に連続する裏面７は、下方に延びている。裏面７の縦方向の略中間〜上方の位置には、表面５の裏面に接触又は近接する位置まで突出した凸部を有する挟持部８が形成されている。裏面７の挟持部８より下方は、表面５に対して離れる外方向に徐々に傾斜拡開し下方に延び、表面５の端部位置には開口部９が形成されている。開口部９の間隙の大きさは、ポケット２の縁部２ａが挿入できる程度の隙間が形成されている。さらに表面５の下端位置より下方の裏面７には、表面５の下端より１０ｍｍ以上長い垂直延長部１１が延設されている。
【００３３】
実施例３の上記名札３をポケット２に装着する動作は、次のように行う。まず名札３の垂直延長部１１をポケット２の開放部の内側に差し込み、さらに裏面７の開口部９にポケット２の縁部２ａを通し、名札本体４をポケット２の内側に押し込む。縁部２ａの先端が挟持部８の凸部の位置まで到達し、さらに縁部２ａを名札本体４の屈曲部６に達するまで名札本体４を押し込むことで、挟持部８は名札本体４の弾力に抗して外方向に押されて開き、縁部２ａの先端が屈曲部６に達する位置まで押し込むことができる。この押し込み動作に従って、ポケット２の布は表面５と挟持部８とで挟まれ、名札３はポケット２に固定保持される。一旦縁部２ａが名札本体４の屈曲部６まで達すると、ポケット縁部２ａは下方の布より厚みがあるので、挟持部８から縁部２ａが抜けて名札３がポケット２から脱落するのを防止する。この実施例３では、裏面７の下方に垂直延長部１１が設けられており、ポケット２の内部に深く挿入することで、名札３を常に垂直状態に保つことができ、名札３の表面５がその重量で前倒れになり名前Ｎ等の表示が見え難くなる不具合がなくなる。
【実施例４】
【００３４】
本考案の第４の実施例について図６に基づいて説明する。実施例１〜実施例３と同じ機能を有する部材は、同じ番号を付す。実施例４の名札本体４は、実施例１と同様に金属例えばステンレスの板材を必要長さに切断し折り曲げて形成される。名札３の表面５に表示される名前Ｎは、レーザマーカで刻印又はインク等で印刷することにより表面５に記載される。
【００３５】
表面５の上端部には、屈曲部６が設けられている。屈曲部６と連続する裏面７は、さらに下方に延びている。裏面７の縦方向の略中間位置より上方には、表面５の裏面と接触又は近接する位置まで突出した凸部を有する挟持部８が形成されている。裏面７の挟持部８より下方は、表面５に対して徐々に離れる方向に傾斜拡開し、表面５の下端位置には開口部９が形成されている。開口部９の間隙の大きさは、ポケット２の縁部２ａが挿入できる隙間空間が形成されている。
【００３６】
実施例４の裏面７は、実施例２と同様に、裏面下端から屈曲部６の近くまで切り込まれた二本の平行な縦溝１０、１０が設けられ、左右の裏面両端部７ａ、７ａと裏面内部７ｂとに三分割されている。この縦溝１０の幅は、数ｍｍ程度の幅を有し、ポケット縁部２ａを通すことができる程度の幅となっている。図６（ａ）で示す実施例は、左右の裏面両端部７ａ、７ａには表面５の下端より１０ｍｍ以上長い垂直延長部１１が設けられ、裏面内部７ｂは、表面５の下端より上方の位置で短く切断されている例を示した、名札３の背面図である。図６（ｂ）は、名札３の右側面図であり、ポケット２の内側に垂直延長部１１を差し込み、挟持部８でポケット２の布を挟んで固定した状態を示す。一方、図６（ｃ）が示す例は、裏面内部７ｂに表面５の下端より１０ｍｍ以上長くした垂直延長部１１を延設し、裏面両端部７ａ、７ａは、表面５の下端より上方の位置で短く切断している他の例を示している。
【００３７】
実施例４の名札本体４も上記例と同様に弾性部材から構成されている。このことにより、裏面７の上記裏面両端部７ａ、７ａ又は裏面内部７ｂを表面５から離す外方向に拡開することで、屈曲部６の弾力に抗して開口部９及び縦溝１０，１０の隙間が拡がる。そしてポケット２の縁部２ａを開口部９及び縦溝１０，１０の間を介して表面５と挟持部８の凸部の間に押し込むことで、挟持部８が表面５から離れ、縁部２ａを屈曲部６まで押し込むことができる。その後、裏面７の開口端部９ａを開放することで、挟持部８は弾性復元力で表面５の近傍の元の位置に戻り、ポケット２の布は表面５と挟持部８の凸部とで挟まれて圧着固定される。実施例４では実施例２と同様に、ポケット２の縁部２ａを拡開された上記２本の縦溝１０、１０に交互に通すことで、裏面両端部７ａ、７ａと裏面内部７ｂは互いに元の位置に戻ろうとする弾性復元力で縁部２ａおよびポケット２の布を挟持し、名札３はさらに固定される。
【００３８】
実施例４の上記名札３をポケット２に装着する動作は、次のように行う。まず名札３の垂直延長部１１を有する裏面両端部７ａ、７ａ又は裏面内部７ｂの垂直延長部１１をポケット２の開口部内に挿入し、垂直延長部１１が設けられていない裏面内部７ｂ又は裏面両端部７ａ、７ａをポケット２の表側に出す。このことで垂直延長部１１が設けられた裏面内部７ｂ又は裏面両端部７ａはポケット２の内側に、垂直延長部１１が設けられていない他の裏面はポケット２の表側に位置させる状態で、名札本体４をポケット２内に押し込む。ポケット縁部２ａの先端が挟持部８の凸部まで到達し、さらに縁部２ａを名札本体４の屈曲部６に達するまで名札本体４をさらに押し込むことで、挟持部８は屈曲部６の弾力に抗して外方向に開き、さらに縁部２ａの先端が屈曲部６まで押し込むことができる。
【００３９】
以上の押し込み動作により、ポケット２の布は表面と裏面両端部７ａ又は裏面内部７ｂの挟持部８とで圧着され、名札３はポケット２に固定保持される。一旦縁部２ａが名札本体４の屈曲部６まで達すると、ポケット縁部２ａは下方の布より厚みがあるので、挟持部８から縁部２ａが下方に抜けて名札３がポケット２から脱落するのを防止できる。実施例４は、実施例２と同様にポケット２の縁部２ａを二本の縦溝１０、１０に交互に通すことで、名札３とポケット２との挟み力が増し、名札３は強く固定される。また裏面７の垂直延長部１１がポケット２内に深く挿入することで、名札３の前倒れを防止できる。
【００４０】
本考案の名札の本体４は、金属を素材として切断成形すると説明したが、金属素材を弾性のある合成樹脂素材に換え射出成形等の手段で成形しても良い。またレーザマーカの刻印やインクによる印刷を表面５に直接記載する代わりに、名前Ｎ等を書いた名札シールを表面５に貼って使用しても良い。
【産業上の利用可能性】
【００４１】
本考案の名札は、背広１やユニホームなどの上着のポケット２に挿入して用いたが、他の用途、例えば物品の表示や目的地等の案内を目的とした案内札として用いても良い。
【符号の説明】
【００４２】
１  背広
２  ポケット、２ａ  縁部
３  名札
４  名札本体
５  表面
６  屈曲部
７  裏面、７ａ  裏面両端部、７ｂ  裏面内部
８  挟持部
９  開口部、９ａ  開口端部
１０  縦溝
１１  垂直延長部
Ｎ  名前
Ｓ  開口寸法
【図１】
0003201590.tif 000003
【図２】
0003201590.tif 000004
【図３】
0003201590.tif 000005
【図４】
0003201590.tif 000006
【図５】
0003201590.tif 000007
【図６】
0003201590.tif 000008
【図７】
0003201590.tif 000009